(57)【要約】      （修正有）【課題】高い視覚効果を発揮して表示の変化が可能な仕掛け印刷物の提供。【解決手段】開口２１ａを有する窓部材２１と、一方の面の第一領域２２ａに第一の表示が印刷され、第一スリット手段２３ｂを有し、前記窓部材の中に前記一方の面が前記開口の側に向くように配置される第一部材と、一方の面の第二領域に第二の表示が印刷され、第二スリット手段を有し、前記窓部材の中に前記一方の面が前記開口の側に向くように配置される第二部材と、を備える仕掛け印刷物であって、前記第一部材と前記第二部材とは、前記窓部材の前記開口で前記第一領域が前記第二領域に対して前記開口の側に、前記第二領域を隠して位置するように前記第一スリット手段と前記第二スリット手段とが係合して重なって配置される第一状態から、前記開口に前記第二領域が現れる第二状態まで、前記第一スリット手段と前記第二スリット手段とのそれぞれ沿って相対的な移動が可能な仕掛け印刷物。【選択図】図２
0003222109.tif 000002
【実用新案登録請求の範囲】
【請求項１】
開口と、その開口まわりに縁部を有する窓部材と、
一方の面の第一領域に第一の表示が印刷され、第一スリット手段を有し、前記窓部材の中に前記一方の面が前記開口の側に向くように配置される第一部材と、
一方の面の第二領域に第二の表示が印刷され、第二スリット手段を有し、前記窓部材の中に前記一方の面が前記開口の側に向くように配置される第二部材と、
を備える仕掛け印刷物であって、
前記第一部材と前記第二部材とは、前記窓部材の前記開口で前記第一領域が前記第二領域に対して前記開口の側に、前記第二領域を隠して位置するように前記第一スリット手段と前記第二スリット手段とが係合して重なって配置される第一状態から、前記開口に前記第二領域が現れる第二状態まで、前記第一スリット手段と前記第二スリット手段とのそれぞれ沿って相対的な移動が可能な仕掛け印刷物。
【請求項２】
請求項１に記載の仕掛け印刷物であって、
前記第一部材と前記第二部材と前記開口は矩形であって、
前記第一スリット手段は前記第一部材の一辺から相対する辺に向かって延在し、
前記第二スリット手段は前記第二部材の一辺から相対する辺に向かって延在し、
前記第一スリット手段の延在する方向は、前記第二スリット手段の延在する方向に対して、角度をもって配置されている仕掛け印刷物。
【請求項３】
請求項１または２に記載の仕掛け印刷物であって、
前記第一スリット手段は、複数のスリットから形成され
前記第二スリット手段は、複数のスリットから形成されている仕掛け印刷物。
【請求項４】
請求項３に記載の仕掛け印刷物であって、
前記開口に前記第二領域が現れる第二状態では、前記第一領域は前記第二領域に隠れる仕掛け印刷物。
【請求項５】
請求項１または２に記載の仕掛け印刷物であって、
前記第一スリット手段は、一のスリットから形成され
前記第二スリット手段は、一のスリットから形成され、
前記第一部材は、
前記第一状態において、前記縁部に隠れるような第三の表示が印刷される第三領域を有し、
前記第二状態において、前記第一領域は前記縁部に隠れ、前記第三領域が前記窓部材の外側に現れる仕掛け印刷物。
【考案の詳細な説明】
【技術分野】
【０００１】
この考案は、表示変化機能を有する仕掛け印刷物に関する。
【背景技術】
【０００２】
広告などの印刷物では、ターゲットユーザに伝えたい事項に注目がいくような視覚効果が求められる。視覚効果を高める静的な手法は、文字の色を変えるなど、注目させる箇所を強調して、注目を集めるものがある。一方、動的な手法としては、注目させる箇所の表示を変化させる表示変化機能がある。後者は、近年、コンピュータなどの電子機器を用いて実現されるようになっている。
【考案の概要】
【考案が解決しようとする課題】
【０００３】
しかし、広告は、その広告を見る可能性のあるすべての世代のターゲットユーザに、安いコストで訴えかけることができることが必要である。そのため、コンピュータ等の電子機器を使用する制限もなく、簡易に、高い視覚効果を発揮する表示変化機能を持った仕掛け印刷物とすることが好ましい。
【課題を解決するための手段】
【０００４】
本考案の態様は、開口を有する窓部材と、一方の面の第一領域に第一の表示が印刷され、第一スリット手段を有し、前記窓部材の中に前記一方の面が前記開口の側に向くように配置される第一部材と、一方の面の第二領域に第二の表示が印刷され、第二スリット手段を有し、前記窓部材の中に前記一方の面が前記開口の側に向くように配置される第二部材と、を備える仕掛け印刷物であって、前記第一部材と前記第二部材とは、前記窓部材の前記開口で前記第一領域が前記第二領域に対して前記開口の側に、前記第二領域を隠して位置するように前記第一スリット手段と前記第二スリット手段とが係合して重なって配置される第一状態から、前記開口に前記第二領域が現れる第二状態まで、前記第一スリット手段と前記第二スリット手段とのそれぞれ沿って相対的な移動が可能な仕掛け印刷物により解決する。
【考案の効果】
【０００５】
これにより、高い視覚効果を発揮しながら表示を変化させることができる。
【図面の簡単な説明】
【０００６】
【図１Ａ】本考案の実施の形態の仕掛け印刷物の第一状態を示している。
【図１Ｂ】本考案の実施の形態の仕掛け印刷物の第一状態を示している。
【図２】実施例１の仕掛け印刷物の第一状態を示している。
【図３Ａ】実施例１の仕掛け印刷物の一の構成である第一部材を示している。
【図３Ｂ】実施例１の仕掛け印刷物の一の構成である第二部材を示している。
【図３Ｃ】実施例１の仕掛け印刷物の部品を組み合わせる状態を示している。
【図４】実施例１の仕掛け印刷物の第二状態を示している。
【図５】実施例２の仕掛け印刷物の第一状態を示している。
【図６Ａ】実施例２の仕掛け印刷物の一の構成である第一部材を示している。
【図６Ｂ】実施例２の仕掛け印刷物の一の構成である第二部材を示している。
【図７】実施例２の仕掛け印刷物の第二状態を示している。
【考案を実施するための形態】
【０００７】
以下、図１Ａと図１Ｂを参照して、本考案の仕掛け印刷物１の概念について説明する。本考案の仕掛け印刷物１は、窓部材１１と、第一部材１２と、第二部材１３とを備えている。窓部材１１は、開口１１ａと周縁部１１ｂとを有している。図１Ａおよび図１Ｂでは、窓部材１１の内部の理解を容易にするために、窓部材１１は一点鎖線で表しているが、実際には第一部材１２と、第二部材１３とを包含するように最外層として配置される。
【０００８】
第一部材１２は一方の面の第一領域１２ａに第一の表示が印刷されている。第一の表示は、たとえば広告内容である。第一領域１２ａは開口１１ａの大きさ、形状に合わせて設定されている。すなわち、第一の表示は、開口１１ａから第一領域１２ａが視認可能な表示であり、第一部材１２は、第一領域１２ａが開口１１ａの側を向くように窓部材１１の中に配置されている。また、第一部材１２は、第一スリット手段１２ｂを有している。第一スリット手段１２ｂは、図１Ａおよび図１Ｂでは一のスリットとして表示しているが、後述の実施例のとおり、複数のスリットから構成させてもよい。
【０００９】
第二部材１３は一方の面の第二領域１３ａに第二の表示が印刷されている。第二の表示は、たとえば広告内容である。第二領域１３ａは開口１１ａの大きさ、形状に合わせて設定されている。すなわち、第二の表示は、開口１１ａから第二領域１３ａが視認可能な表示であり、第二部材１３は、第二領域１３ａが開口１１ａの側を向くように窓部材１１の中に配置されている。また、第二部材１３は、第二スリット手段１３ｂを有している。第二スリット手段１３ｂは、図１では一のスリットとして表示しているが、後述の実施例のとおり、複数のスリットから構成させてもよい。
【００１０】
第一スリット手段１２ｂと第二スリット手段１３ｂの少なくとも一方、またはその両方は縁部に開口を有するスリットである。その開口から内部に向かって延在し、内部で終端する。図１Ａおよび図１Ｂに示した本実施の形態では、第一スリット手段１２ｂが第一部材１２の一辺に開口を有し、それに相対する辺に向かって延在して途中で終端するスリットである。一方、第二スリット手段１３ｂは、縁部には開口を有しないで、両端が終端であって、第一部材１２の面内に延在するスリットである。第一スリット手段１２ｂの延在する方向と第二スリット手段１３ｂの延在する方向とは、角度をもって配置されている。第一スリット手段１２ｂで分けられる部材の一端が第二スリット手段１３ｂ内に挿入されて係合する。ここで、第二スリット手段１３ｂを第二部材１３の一辺に開口を有し、それに相対する辺に向かって延在して途中で終端するスリットとしてもよい。このとき、第一スリット手段１２ｂを縁部に終端しないスリットとしてもよい。第一スリット手段１２ｂと第二スリット手段１３ｂの少なくとも一方、またはその両方は縁部に開口を有するスリットとして、第一スリット手段１２ｂと第二スリット手段１３ｂとが係合することが可能な限り、本考案として実施をすることが可能となる。
【００１１】
第一スリット手段１２ｂと第二スリット手段１３ｂとが係合することで、第一部材１２と第二部材１３が重なった状態になる。これにより、第一部材１２と第二部材１３とが第一スリット手段１２ｂと第二スリット手段１３ｂとのそれぞれ沿って相対的な移動が可能となる。第一部材１２と第二部材１３とは、窓部材１１の開口１１ａにおいて、第一領域１２ａが第二領域１３ａに対して開口１１ａの側になるように配置される。この状態を第一状態（図１Ａ）とよぶ。すなわち、第一状態では、窓部材１１の中では、開口１１ａ側から、開口１１ａ，第一領域１２ａ，第二領域１３ａの順序で並び、第一領域１２ａが第二領域１３ａを隠して位置している。第一部材１２は、第二部材１３に対して相対的に第一状態から第二状態（図１Ｂ）まで移動可能である。第二状態では、開口１１ａにおいて、第二領域１３ａが移動し、第二領域１３ａを隠していた第一領域１２ａが移動し、第二領域１３ａが開口１１ａから視認可能となる。
【００１２】
第二状態になった段階、またはそれ以上の移動箇所において、第一スリット手段１２ｂの終点部と第二スリット手段１３ｂの終点部とがひっかかって（図１Ｂ）、第一部材１２と第二部材１３とが停止するようになっている。
【実施例】
【００１３】
（実施例１）
続いて、図２から図４を用いて、前記実施の形態を具体的に適用した実施例１について説明する。実施例１は前記の実施の形態の原理を具体化した例である。図２は、実施例１の仕掛け印刷物２の第一状態を示している。図３Ａは実施例１の第一部材２２を示している。図３Ｂは実施例１の第二部材２３を示している。図３Ｃは実施例１の仕掛け印刷物２の部品である第一部材２２と第二部材２３を組み合わせた状態で示している。図４は実施例１の仕掛け印刷物２の第二状態を示している。
【００１４】
実施例１の仕掛け印刷物２は、実施の形態と同様に、窓部材２１と、第一部材２２と、第二部材２３とを備えている。窓部材２１は、開口２１ａと周縁部２１ｂとを有している。第一部材２２と第二部材２３とは、たとえば矩形である。窓部材２１は第一部材２２と、第二部材２３とを包含するように最外層として配置される。この実施例では窓部材２１と第二部材２３とは一体化させて袋状にして結合させている。ただし、これらを別の部材としてもよい。図２の上側を開口として、それ以外の辺は接着等で閉じた形の封筒とする。
【００１５】
第一部材２２は、第一スリット手段２２ｂを有している。実施例１は、実施の形態において、第一スリット手段２２ｂを複数のスリットたる第一スリット２２ｂ−１から２２ｂ−５として形成させている例である。第一スリット２２ｂ−１から２２ｂ−５は第一部材２２の縁部に開口を有しない例であり、両端が終端となっていて第一部材２２の面内に延在するスリットである。第一スリット２２ｂ−１から２２ｂ−５のそれぞれは、互いに並行に延在する並行部をもっている。
【００１６】
第二部材２３は、第二スリット手段２３ｂを有している。実施例１は、実施の形態において、第二スリット手段２３ｂを複数のスリットたる第二スリット２３ｂ−１から２３ｂ−５として形成させている例である。第二スリット２３ｂ−１から２３ｂ−５は第二部材２３の縁部に開口を有し、相対する辺に向かって延在して途中で終端となるように、第一部材２２の面内に延在するスリットである。第二スリット２３ｂ−１から２３ｂ−５のそれぞれは、互いに並行に延在する並行部をもっている。
【００１７】
第一部材２２は一方の面の第一領域２２ａに第一の表示（図３Ａに示される「Ａ」）が印刷されている。第一領域２２ａは内部に第一スリット２２ｂ−１から２２ｂ−５が延在しているが、第一の表示は、第一スリット２２ｂ−１から２２ｂ−５を境界とする必要はなく、第一スリット２２ｂ−１から２２ｂ−５の位置に関係なく、第一スリット２２ｂ−１から２２ｂ−５を跨いで印刷をしてよい。第一の表示は、たとえば広告内容である。第一領域２２ａは開口２１ａの大きさ、形状に合わせて設定される。すなわち、第一の表示は、開口２１ａから第一領域２２ａが視認可能な表示であり、第一部材２２は、第一領域２２ａが開口２１ａの側を向くように窓部材２１の中に配置されている。
【００１８】
第二部材２３は一方の面の第二領域２３ａに第二の表示（図３Ｂに示される「Ｂ」）が印刷されている。第二領域２３ａは内部に第二スリット２３ｂ−１から２３ｂ−５が延在しているが、第二の表示は、第二スリット２３ｂ−１から２３ｂ−５を境界とする必要はなく、第二スリット２３ｂ−１から２３ｂ−５の位置に関係なく、第二スリット２３ｂ−１から２３ｂ−５を跨いで印刷をしてよい。第二の表示は、たとえば広告内容である。第二領域２３ａは開口２１ａの大きさ、形状に合わせて設定される。すなわち、第二の表示は、開口２１ａから第二領域２３ａが視認可能な表示であり、第二部材２３は、第二領域２３ａが開口２１ａの側を向くように窓部材２１の中に配置されている。
【００１９】
第二領域２３ａは開口２１ａの大きさ、形状に合わせて設定されている。すなわち、第二の表示は、開口２１ａから第二領域２３ａが視認可能な表示であり、第二部材２３は、第二領域２３ａが開口２１ａの側を向くように窓部材２１の中に配置されている。
【００２０】
第一スリット手段２２ｂの延在する方向と第二スリット手段２３ｂの延在する方向とは、角度をもって配置されている。実施例１では、第二スリット手段２３ｂが延在する方向は窓部材２１に対して水平方向であり、第一スリット手段２２ｂが延在する方向はこれに対して角度をもつように、斜めに延在するように配置されている。
【００２１】
第一スリット手段２２ｂと第二スリット手段２３ｂとの係合においては、第一部材２２の第一スリット２２ｂ−１から２２ｂ−５のそれぞれの中に、第二部材２３の第二スリット２３ｂ−１から２３ｂ−５のそれぞれの間で画定されるタブのそれぞれが挿入される。この係合により、第一部材２２の第一スリット２２ｂ−１から２２ｂ−５のそれぞれが第二スリット２３ｂ−１から２３ｂ−５のそれぞれに沿って相対的に移動可能な状態で、第一部材１２と第二部材１３が重なって配置される。
【００２２】
第一部材２２と第二部材２３とは、窓部材２１の開口２１ａにおいて、第一領域２２ａが第二領域２３ａに対して開口２１ａの側になるように配置される。この状態を第一状態（図２）とよぶ。すなわち、第一状態では、窓部材２１の中では、開口２１ａ側から、開口２１ａ，第一領域２２ａ，第二領域２３ａの順序で並び、第一領域１２ａが第二領域１３ａを隠して位置している。実施例１の場合、第一領域２２ａが第一スリット２２ｂ−１から２２ｂ−５によって分割され、第二領域２３ａが第二スリット２３ｂ−１から２３ｂ−５のそれぞれによって分割されているので、第一部材２２が第二部材２３に対して相対的に第一状態（図２）から第二状態（図４）まで移動する際に、分割された第一領域２２ａのそれぞれは第二領域２３ａの対応するそれぞれの部分の下に隠れる。すなわち、第一領域２２ａ全体が第二領域２３ａの全体に入れ替わるのではなく、分割された第一領域２２ａのそれぞれが、分割された第二領域２３ａのそれぞれと入れ替わるので、第一の表示から第二の表示への変化の視覚効果の特異性が高くなる。第二状態では、開口２１ａにおいて、第二領域２３ａを隠していた第一領域２２ａが移動し、第二領域２３ａが開口２１ａから視認可能となる点で、実施の形態と同じである。
【００２３】
第二状態になった段階、またはそれ以上の移動箇所において、第一スリット２２ｂ−１から２２ｂ−５のそれぞれの終点部と第二スリット２３ｂ−１から２３ｂ−５のそれぞれの終点部とがひっかかって、第一部材２２と第二部材２３とが停止する。実施例１の場合、第一領域２２ａが第一スリット２２ｂ−１から２２ｂ−５によって分割され、第二領域２３ａが第二スリット２３ｂ−１から２３ｂ−５のそれぞれによって分割されているので、第一部材２２と第二部材２３とが、第一状態から第二状態まで移動する移動量を小さく設定できる。そのため、第二部材２３が、第二状態において、窓部材２１から飛び出す長さも小さく設定できる。これにより、第二状態で第一領域２２ａを窓部材２１の縁部に隠すように設定することもできる。
また、窓部材２１と第二部材２３との間（図３Bの破線部）にスリットを第一部材２２の長さのスリット（不図示）を配置することもできる。この場合は、第一部材２２を第二状態の方向に引き出すことができる上に、スリットを通して、第一部材を図２および図４の左方向に引き出すことも可能となる。この場合には、第一部材の裏面に別の印刷表示をしておけば、第一部材２２の裏面に隠されていた別の表示を出すことも可能となる。さらに、第二部在２３の裏面に宛名書きをすることで封書とすることも可能となる。
【００２４】
（実施例２）
続いて、図５から図７を用いて、前記実施の形態を具体的に適用した実施例２について説明する。実施例２も前記の実施の形態の原理を具体化した例である。図５は、実施例２の仕掛け印刷物３の第一状態を示している。図６Ａは実施例２の第一部材３２を示している。図６Ｂは実施例２の第二部材３３を示している。図７は実施例２の仕掛け印刷物３の第二状態を示している。
【００２５】
実施例２の仕掛け印刷物３は、実施の形態と同様に、窓部材３１と、第一部材３２と、第二部材３３とを備えている。窓部材３１は、開口３１ａと周縁部３１ｂとを有している。窓部材３１は第一部材３２と、第二部材３３とを包含するように最外層として配置される。第一部材３２と第二部材３３とは、たとえば矩形である。この実施例では窓部材３１と第二部材３３とは一体化させて結合させている。ただし、これらを別の部材としてもよい。
【００２６】
第一部材３２は、第一スリット手段たる第一スリット３２ｂを有している。同じく、第二部材３３は、第二スリット３３ｂを有している。実施例２は、実施の形態において、第一スリット手段と第二スリット手段とのそれぞれを、一のスリットとして形成させている例である。第一スリット３２ｂは両端が終端となっていて第一部材３２の面内に延在するスリットである。第二スリット３３ｂは第二部材３３の縁部に開口を有し、相対する辺に向かって延在して途中で終端となるように、第一部材３２の面内に延在するスリットである。
【００２７】
第一部材３２は一方の面の第一領域３２ａに第一の表示（図６Ａに示される「Ａ」）が印刷されている。第一部材３２は、同じく、その面の第三領域３２ｃに第一の表示（図６Ａに示される「Ｂ」）が印刷されている。第一の表示および第三の表示は、たとえば広告内容である。第一領域３２ａは開口３１ａの大きさ、形状に合わせて設定される。すなわち、第一の表示は、開口３１ａから第一領域３２ａが視認可能な表示であり、第一部材３２は、第一領域３２ａが開口３１ａの側を向くように窓部材３１の中に配置されている。
【００２８】
第二部材３３は一方の面の第二領域３３ａに第二の表示（図６Ｂに示される「Ｃ」）が印刷されている。第二の表示は、たとえば広告内容である。第二領域３３ａは開口３１ａの大きさ、形状に合わせて設定される。すなわち、第二の表示は、開口３１ａから第二領域３３ａが視認可能な表示であり、第二部材３３は、第二領域３３ａが開口３１ａの側を向くように窓部材３１の中に配置されている。
【００２９】
第一スリット３２ｂの延在する方向と第二スリット３３ｂの延在する方向とは、角度をもって配置されている。実施例２では、第二スリット３３ｂが延在する方向は窓部材３１に対して水平方向であり、第一スリット手段３２ｂが延在する方向はこれに対して角度をもつように、斜めに延在するように配置されている。第一スリット３２ｂに第二スリット３３ｂの間に画定されるタブが挿入されて係合して、第一部材３２と第二部材３３が重なった状態で相対的に移動可能となる。
【００３０】
第一部材３２と第二部材３３とは、窓部材３１の開口３１ａにおいて、第一領域３２ａが第二領域３３ａに対して開口３１ａの側になるように配置される。この状態を第一状態（図５）とよぶ。すなわち、第一状態では、窓部材３１の中では、開口３１ａ側から、開口３１ａ，第一領域３２ａ，第二領域３３ａの順序で並び、第一領域３２ａが第二領域３３ａを隠して位置している。実施例２の場合、第一領域３２ａが一の第一スリット３２ｂのみであるので、第一部材３２が第二部材３３に対して相対的に第一状態（図５）から第二状態（図７）まで移動する移動量が大きくなり、第一領域３２ａが第二領域３３ａの変化する際には、その第二領域３３ａの縁部から徐々に全体が現れるような変化の態様を行う特徴の視認効果を生じる。第二状態では、開口３１ａにおいて、第二領域３３ａを隠していた第一領域３２ａが移動し、第二領域３３ａが開口２１ａから視認可能となる点で、実施の形態と同じである。
【００３１】
第二状態になった段階、またはそれ以上の移動箇所において、第一スリット３２ｂの終点部と第二スリット３３ｂの終点部とがひっかかって、第一部材３２と第二部材３３とが停止する。実施例２の場合、第一領域３２ａが第一スリット３２ｂのみによって移動するため、第一状態から第二状態まで移動する移動量は実施例１の場合より大きく設定されることになる。そのため、第二部材３３が、第二状態において、窓部材３１から飛び出す長さが大きく設定できるので、第二状態で、第一部材３２の第三領域３２ｃを窓部材２１の外側に出して、第三の表示が現れるような視認効果を高めるように設定することもできる。
【００３２】
実施例１および実施例２のいずれの場合にも、第一の表示、第二の表示、第三の表示とも、たとえば、フルカラー（シアン、マゼンタ、イエロー、ブラック）印刷を行うことが一般的であるが、それに加えて、第一部材および第二部在のスライド時の滑りを円滑にするために、第一部材および第二部材の全面にマットニス（非光沢ニス、艶消しニスなどとも言う）印刷を行うことが好ましい。
【符号の説明】
【００３３】
１，２，３    仕掛け印刷物
１１，２１，３１  窓部材
１１ａ，２１ａ，３１ａ  開口
１２，２２，２３  第一部材
１２ａ，２２ａ，１３ａ  第一領域
１２ｂ，２２ｂ，２３ｂ  第一スリット手段
１３，２３，３３  第二部材
１３ａ，２３ａ，３３ａ  第二領域
１３ｂ，３２ｂ，３３ｂ  第二スリット手段
【図１Ａ】
0003222109.tif 000003
【図１Ｂ】
0003222109.tif 000004
【図２】
0003222109.tif 000005
【図３Ａ】
0003222109.tif 000006
【図３Ｂ】
0003222109.tif 000007
【図３Ｃ】
0003222109.tif 000008
【図４】
0003222109.tif 000009
【図５】
0003222109.tif 000010
【図６Ａ】
0003222109.tif 000011
【図６Ｂ】
0003222109.tif 000012
【図７】
0003222109.tif 000013